(57)【要約】【課題】単に被治療者が湯に浸かるだけでは得られないより高い治療効果を期待することができるとともに、被治療者に負担のかからない温熱治療システムを提供すること。【解決手段】治療槽２と、お湯もしくは治療用溶液を温度調整回路装置１５で所定の温度にする給湯管１６を介して上記治療槽２に注入する循環機構３を有し、上記給湯管１６は温度調整回路１５から上記治療槽２までの間で順次二股に分割され、最終の分割端部はそれぞれ治療槽２内壁面上に配置された吐出ノズル１１〜１４に接続されることを特徴とする温熱治療システムであるため、各吐出ノズルから供給されるお湯もしくは治療用溶液の温度を常に等しくすることができ、浴槽内の各部の温度を常に一定に保つことができる。【選択図】図２
2008142171.tif 000002
【特許請求の範囲】
【請求項１】
治療槽と、お湯もしくは治療用溶液を温度調整回路装置で所定の温度にする給湯管を介して上記治療槽に注入する循環機構を有し、
上記給湯管は温度調整回路から上記治療槽までの間で順次二股に分割され、最終の分割端部はそれぞれ治療槽内壁面上に配置された吐出ノズルに接続されていることを特徴とする温熱治療システム。
【請求項２】
治療槽と、お湯もしくは治療用溶液を温度調整回路装置で所定の温度にする給湯管を介して上記治療槽に注入する循環機構を有し、
被治療者用の身体保持装置には被治療者の回りにお湯もしくは治療用溶液を行きわたらせたり、治療槽全体にお湯もしくは治療用溶液を循環させるように、お湯もしくは治療用溶液が通過するための開放孔が施されていることを特徴とする温熱治療システム。
【請求項３】
治療槽と、お湯もしくは治療用溶液を温度調整回路装置で所定の温度にする給湯管を介して上記治療槽に注入する循環機構を有し、
上記温度調整回路装置で、所定の温度にされたお湯もしくは治療用溶液がノズル等により治療槽の内壁面に対し、平行に、扇状や放射状等に平面的に噴射され循環することを特徴とする温熱治療システム。
【発明の詳細な説明】
【技術分野】
【０００１】
本発明は、温熱治療システム、詳しくは生体をその時点での患者の状態や治療目的に対して最適な体温まで上昇させ、その体温を高精度に所定時間維持させることにより健康の増進、疾病の治療や予防に寄与する温熱治療を行なうための温熱治療システムに関するものである。
【背景技術】
【０００２】
従来、癌やＨＩＶ感染症（エイズ）の治療法の１つとして温熱治療が知られている。この治療方法は癌細胞あるいはＨＩＶウィルスが正常な細胞より熱に対する耐性が低いことを利用し、癌細胞あるいはＨＩＶウィルスが死滅する温度まで体温を上げて温熱治療を行うための温浴型温熱治療装置が提案されている（例えば、特許文献１）。
【０００３】
この温浴型温熱治療装置は、浴槽と強制循環式ボイラーと浴槽内の湯温の温度を制御する制御部とを備え、浴槽内の湯温度と被治療者の脈拍数、呼吸数、心電計による情報等とに基づいて浴槽内の湯温を任意の温度に維持するようにしたものである。
【特許文献１】特開平１０−３３６２６号公報
【発明の開示】
【発明が解決しようとする課題】
【０００４】
温熱治療を行なう場合、体温が上昇し頭部の方まで及ぶため、息苦しくなったり交感神経が刺激されたりして治療の妨げになることがある。頭部においては温度が上昇すると、取り入れなければならない酸素の必要量が増えるため相対的に酸欠方向となり身体に支障をきたす恐れがある一方、加熱量を減ずると効果は減ずる方向になりそのバランスの調整が難しい。上述の治療装置は湯温を一定温度に保つとともに頭部の冷却も行うことにより上記問題は解決できるようにはなっているものの、浴槽とボイラーとは一対の管で接続されているだけであり、湯温内の身体の全ての部分の温度が均一になる保障がない。また、浴槽内の湯温を一定に保つための湯または冷水がほぼ同一箇所から浴槽の中心に向けて供給されるため、被治療者に直接当たる可能性があり、問題がある。
【０００５】
本発明は、上記問題点を解決し、給湯管の配置を分配することにより浴槽内の各部の温度を常に一定に保つことを第１の課題とし、被治療者の身体の全ての部位が常に等しい温度のお湯に浸ることができるようにして温熱治療の効率を高めることを第２の課題とし、給湯により被治療者に負担のかからない温熱治療システムを提供することを第３の課題とする。
【課題を解決するための手段】
【０００６】
前記課題を解決するため、請求項１に係る発明は、治療槽と、お湯もしくは治療用溶液を温度調整回路装置で所定の温度にする給湯管を介して上記治療槽に注入する循環機構を有し、上記給湯管は温度調整回路から上記治療槽までの間で順次二股に分割され、最終の分割端部はそれぞれ治療槽内壁面上に配置された吐出ノズルに接続されていることを特徴とする。
【０００７】
請求項２に係る発明は、治療槽とお湯もしくは治療用溶液を、温度調整回路装置で所定の温度にする給湯管を介して上記治療槽に注入する循環機構を有し、被治療者用の身体保持装置には、被治療者の回りに治療用溶液を行きわたらせたり、治療槽全体にお湯もしくは治療用溶液を循環させるように、溶液が通過するための開放孔が施されていることを特徴とする。
【０００８】
請求項３に係る発明は、治療槽と、お湯もしくは治療用溶液を温度調整回路装置で所定の温度にする給湯管を介して上記治療槽に注入する循環機構を有し、上記温度調整回路装置で、所定の温度にされたお湯もしくは治療用溶液がノズル等により治療槽の内壁面に対し、平行に、扇状や放射状等に平面的に噴射され循環することを特徴とする。
【発明の効果】
【０００９】
請求項１に係る発明によれば、治療槽と上記循環機構を有し、給湯管を温度調整回路から上記治療槽までの間で順次二股に分割し、最終の分割端部はそれぞれ治療槽内壁面上に配置された吐出ノズルに接続したことにより、各吐出ノズルから供給されるお湯もしくは治療用溶液の温度を常に等しくすることができるため浴槽内の各部の温度を常に一定に保つことができる。
【００１０】
請求項２に係る発明によれば、被治療者用の身体保持装置に溶液が通過するための開放孔が施されていることにより、被治療者の回りにお湯もしくは治療用溶液を行きわたらせたり治療槽全体にお湯もしくは治療用溶液を循環させることが可能となり、
被治療者の身体の全ての部位が常に等しい温度のお湯もしくは治療用溶液に浸ることができ、温熱治療の効率を高めることができる。
【００１１】
請求項３に係る発明によれば、治療槽と上記循環機構を有し、お湯もしくは治療用溶液がノズル等により治療槽の内壁面に対し、平行に、扇状や放射状等に平面的に噴射され循環することにより、被治療者にノズル等から直接お湯もしくは治療用溶液が当たらないようにして被治療者に負担のかからない温熱治療システムとすることができる。
【発明を実施するための最良の形態】
【００１２】
図１は、本発明に係る温熱治療システムの一例を示し、この温熱治療システム（以下、治療システムという）は、装置本体１と、この装置本体１に連接した治療槽２と、この治療槽２にお湯もしくは治療用溶液（以降「治療用温水」と記す）を循環させる循環機構３と、該治療槽２に被治療者を搬入搬出する搬送機構４とを備えている。
【００１３】
治療槽２は、大人が横になって治療用温水に浸かることができる程度の変形直方体の治療槽で、上面は開閉可能なキャノピー５で覆われるとともに、このキャノピー５には治療中に治療者と被治療者とがコミュニケーションをとったり、生体検査、ケア処理を可能にするための窓６が開閉可能に設けてある。
【００１４】
なお、上記キャノピー５は開閉用シリンダー２３（図４（ａ）（ｂ）参照）を作動させることにより開閉することができるようになっている。
【００１５】
循環機構３は、図２に示すように、上記治療槽２に治療用温水を循環させるもので、治療槽の両側面に配置された吐出ノズル１０、温度調整回路１５、給湯管１６、ポンプ１７で主に構成されているもので、上記吐出ノズル１０は互いに対向して配置された４組の吐出ノズル１１ａ〜１４ａ、１１ｂ〜１４ｂで構成され、この吐出ノズル１０から吐出される治療用温水が被治療者に直接当って刺激として影響しないように、治療槽壁面に沿って吐出されるように略直角に曲折して形成されている（図３（ａ）参照）。
【００１６】
吐出ノズル１０から吐出された治療用温水は治療槽の内壁面に沿って平行且つ放射状に拡散するようになっていてもよい（図３（ｂ）参照）。
【００１７】
この吐出ノズル１０には加熱装置で加熱される治療至適温度（病気、患者様態により、またその時点で変る）に維持された温度調整回路１５から治療用温水を供給する給湯管１６が配置され、この給湯管１６の始端は温度調整回路１５に接続され、終端が吐出ノズル１０に接続されているが、始端から終端に至る過程は順次同一管路長で二股に分割され、管路の圧力損失を同一にして始端で一本の給湯管が終端で４組からなる８個の終端に分離するように構成されており、各組の端部はそれぞれ治療槽の両側に分離するとともに対向するように配置された吐出ノズル１０に接続され、吐出ノズル１０から吐出される治療用温水の吐出状態は同じになるように構成されている。
【００１８】
上記温度調整回路１５には、治療槽に設けた一つの取水口２０に一端が取り付けられた取水管２１の他端が接続されているが、この取水管２１の途中にはポンプ１７が配置されている。
【００１９】
搬送機構４は被治療者が仰向けに横たわった状態で治療槽に入浴（図１参照）、出浴（図８参照）できるようにしたもので、搬送機構４は被治療者が仰向けで横たわった状態で治療槽に入浴、出浴できるようにしたもので、身体保持装置２５の搬送については、図５のごとく被治療者が載る身体保持装置２５を治療層２に運搬するためにモーター３５と歯車３２および支持用のアイドラーロール１０３を設け、身体保持装置２５がラックを設けた２条のレール３１を自走するようになっている。
【００２０】
レール３１は、図６に示すように垂直方向と水平方向とを滑らかにつなぐようにＲをとって形成されている。自走する搬送ユニット１０４には、回転ピボット１０２（図５、図７）が設けてあり、身体保持装置２５が水平に保たれるようになっている。図６に示す様に搬送ユニット１０４は被治療者を戴せた身体保持装置２５を浴槽外から治療を受ける浴槽内まで搬送する。
【００２１】
図７に、搬送ユニット１０４を示す。搬送ユニット１０４は、モータ３５を備えており、モータ３５の回転駆動力をベルト等を介して歯車３２に伝達し、ラックを設けたレール３１上を走行する。搬送ユニット１０４には、支持フレーム３６および身体保持装置２５が連結され負荷がかかるため、支持用のアイドラーロール１０３を設けて歯車３２への負荷軽減を図っている。
【００２２】
また、身体保持装置２５と搬送ユニット１０４を連結する支持フレーム３６にピボット１０２が設けられており、ピボット１０２で回転することで、搬送ユニット１０４が移動して角度が変わっても身体保持装置２５および支持フレーム３６の水平位置からの角度を常に一定に保てるようになっている。
【００２３】
身体保持装置２５のクッション部には、図１に示すように複数の治療用温水が循環できるように開放孔２８が施されている。
【００２４】
被治療者が上記身体保持装置２５により浴槽内に到達すると、図４に示すように開閉用シリンダー２３を作動させてキャノピー５を下ろして治療槽２の上面を覆う。
【００２５】
このキャノピー５には開閉可能な窓６が設けてあるので、キャノピー５を下ろした後でも窓６を開けることにより治療者と被治療者とのコミュニケーションが取れるとともに、キャノピー５内の空気の入れ替えも行なうことができ、キャノピー５内の温度の調整も行なうことができる。
【００２６】
被治療者が、治療を受ける治療層には、予め演算された最適温度をはじめとする最適条件の治療用温水が入っており、患者が入浴し、治療を開始した後も温度調整回路でその都度最適化された設定温度に調整された治療用温水を治療槽に設けられた吐出ノズルから治療槽内の被治療者に直接触れないように吐出させ、吐出した治療用温水は温度調整回路に戻され、設定温度に調整された後、再び治療槽に吐出される治療温水の循環が行なわれるとともに、循環の過程で治療効果を高める様々な付加価値（刺激を軽減し、交感神経劣性、副交感神経優位とし、血液循環量を増加させ、ホメオスターチスによる深部体温上昇抑制の働きを和らげ、目標の深部体温上昇作用が促進される等）が与えられ、お湯に浸かるだけではない、より効果的な治療を受けることができる。
【００２７】
降下した身体保持装置２５からは被治療者は容易に下りることができ、被治療者は治療に当たって身体保持装置２５に横たわり、治療後は身体保持装置から下りるだけの簡単な動作で治療を受けることができ、被治療者にとって負荷のかからない治療を受けることができる温熱治療システムを構築することができる。
【図面の簡単な説明】
【００２８】
【図１】本発明に係る温熱治療システムの構成を説明する斜視図
【図２】治療用温水の循環を説明する循環機構構成図
【図３】（ａ）（ｂ）は、治療用温水の治療槽への吐出状態を説明する吐出ノズルの平面図及び正面図
【図４】（ａ）（ｂ）は、身体保持装置及びキャノピーの作動状態を説明する側面図
【図５】身体保持装置および搬送ユニットの作動状態を説明する正面図
【図６】身体保持装置および搬送ユニットの移動を説明する側面図
【図７】搬送ユニットの機構構成図
【図８】キャリアが治療槽の外にある状態の斜視図
【符号の説明】
【００２９】
１    装置本体
２    治療槽
３    循環機構
４    搬送機構
５    キャノピー
１０    吐出ノズル
１６    給湯管
１５    温度調整回路
２５    身体保持装置
２８    開放孔
【図１】
2008142171.tif 000003
【図２】
2008142171.tif 000004
【図３】
2008142171.tif 000005
【図４】
2008142171.tif 000006
【図５】
2008142171.tif 000007
【図６】
2008142171.tif 000008
【図７】
2008142171.tif 000009
【図８】
2008142171.tif 000010